(57)【要約】【課題】利用者が紙幣を選択して出金することができ、また利用者の紙幣に対するニーズを係員に案内し、他の現金自動取引装置の紙幣収納状況を案内することができる現金自動取引装置を提供すること。【解決手段】還流庫に紙幣を収納、分離する動作と連動して紙幣情報を作成し、紙幣情報に基づいて出金の形態を選択するキーを設ける。また、利用者の選択状況を検出し係員操作部に表示する。さらに、紙幣情報をホストコンピュータで管理し、他の現金自動取引装置の紙幣収納状況を参照する。【選択図】  図１
2004355062.tif 000002
【特許請求の範囲】
【請求項１】
紙幣の受入れ又は払出しを行う入出金口と、紙幣の種別を判別する判別部と、紙幣を収納する収納庫と、一時的に紙幣を保管する一時保管庫と、各部を制御する制御部とを有する紙幣取扱装置において、
前記制御部は、前記入出金口から入金された紙幣を前記判別部で判別して紙幣の新札及び旧札の情報を記憶し、当該新札及び旧札の情報を前記収納庫別に紙幣単位で記憶し、記憶した紙幣単位での新札及び旧札の情報を基に、旧札のみ出金又は新札のみ出金を制御する紙幣取扱装置。
【請求項２】
旧札のみの出金取引のとき、前記制御部は、前記収納庫から繰り出される新札の紙幣を前記一時保管庫に搬送し、旧札の紙幣を前記入出金口に搬送することを特徴とする請求項１記載の紙幣取扱装置。
【請求項３】
新札のみの出金取引のとき、前記制御部は、前記収納庫から繰り出される旧札の紙幣を前記一時保管庫に搬送し、新札の紙幣を前記入出金口に搬送することを特徴とする請求項１記載の紙幣取扱装置。
【請求項４】
前記制御部は、前記一時保管庫に保管される旧札又は新札の紙幣を、前記入出金口から紙幣を返却した後、前記収納庫に収納することを特徴とする請求項２又は３記載の紙幣取扱装置。
【請求項５】
前記制御部は、前記一時保管庫に保管される旧札又は新札の紙幣を前記収納庫に収納した後、その旧札又は新札の情報を前記収納庫別に更新して記憶することを特徴とする請求項４記載の紙幣取扱装置。
【請求項６】
前記制御部は、前記収納庫別に紙幣単位で記憶する新札及び旧札の情報を、前記一時保管庫から前記収納庫に収納するときに前記判別部によって得られる結果に基づいて記憶することを特徴とする請求項１記載の紙幣取扱装置。
【請求項７】
旧札のみ又は新札のみの出金取引のとき、前記制御部は、前記一時保管庫に一時保管可能な紙幣の許容枚数を判断することを特徴とする請求項１記載の紙幣取扱装置。
【請求項８】
紙幣を入金又は出金する入出金口と、紙幣を判別する判別部と、紙幣を一時的に保管する一時保管庫と、紙幣を金種毎に収納する複数の収納庫と、第１制御手段とを含む紙幣取扱手段と、顧客の操作する操作手段と、第２制御手段とを有し、所望の取引を実行する現金自動取引装置において、
前記第２制御手段は、前記操作部より新札又は旧札の選択指令と引出金額が入力されたことを基にその情報を前記第１制御手段に送信し、
前記第１制御手段は、前記収納庫別に記憶された新札及び旧札の情報と、受信した引出金額とから新札又は旧札の紙幣を前記収納庫から前記入出金口に搬送することを特徴とする現金自動取引装置。
【請求項９】
前記第１制御手段は、新札又は旧札の紙幣を前記入出金口に搬送する過程において発生する前記一時保管庫へ搬送すべき紙幣が、予め設定された一時保管庫の許容値を超えるか否かを判断することを特徴とする請求項８記載の現金自動取引装置。
【請求項１０】
前記第１制御手段は、前記一時保管庫に搬送すべき紙幣量が前記許容値を超えるときその超えることを前記第２制御手段に送信し、前記第２制御手段は、前記操作手段に通常表示される旧札のみキー又は新札のみキーを削除することを特徴とする請求項９記載の現金自動取引装置。
【請求項１１】
前記第１制御手段は、前記収納庫別に記憶された新札の枚数が前記第２制御手段によって受信した枚数より少ないときその情報を第２制御手段に送信し、前記第２制御手段は、前記操作部に旧札のみを選択するキーを表示することを特徴とする請求項８記載の現金自動取引装置。
【請求項１２】
前記第１制御手段は、前記収納庫別に記憶された旧札の枚数が前記第２制御手段によって受信した枚数より少ないときその情報を第２制御手段に送信し、前記第２制御手段は、前記操作部に新札のみを選択するキーを表示することを特徴とする請求項８記載の現金自動取引装置。
【請求項１３】
前記操作部は、旧札又は新札を出金可能な候補キーを表示し、前記第２制御手段は、前記候補キーの押下によって旧札又は新札を出金可能な現金自動取引装置を前記操作部に表示することを特徴とする請求項８記載の現金自動取引装置。
【請求項１４】
前記操作部は、旧札又は新札を出金可能な候補キーを表示し、前記第２制御手段は、前記候補キーの押下によって旧札又は新札を出金可能な紙幣の枚数を前記操作部に表示することを特徴とする請求項８記載の現金自動取引装置。
【請求項１５】
紙幣の受入れ又は払出しを行う入出金口と、紙幣の種別を判別する判別部と、紙幣を金種毎に収納し且つ還流する還流庫と、前記還流庫に紙幣を装填する又は前記還流庫からの紙幣を回収する装填・回収庫と、各部を制御する制御部とを有する紙幣取扱装置において、
前記制御部は、前記装填・回収庫から搬送された紙幣を前記還流庫に収納する過程において、前記判別部で判別して紙幣の新札及び旧札の情報を記憶し、当該新札及び旧札の情報を前記還流庫別に紙幣単位で記憶し、記憶した紙幣単位での新札及び旧札の情報を基に、旧札のみ出金又は新札のみ出金を制御する紙幣取扱装置。
【請求項１６】
前記制御部は、前記収納庫又は前記還流庫に収納された紙幣を繰り出す毎に、記憶した新札及び旧札の情報を削除することを特徴とする請求項１又は１５記載の紙幣取扱装置。
【請求項１７】
旧札又は新札を出金する紙幣取扱装置において、
旧札のみの出金を指示する旧札キー及び新札のみの出金を指示する新札キーを表示し、該旧札キー又は新札キーの入力を受ける操作部と、該旧札キー又は新札キーの選択回数を記憶する制御部とを有することを特徴とする紙幣取扱装置。
【発明の詳細な説明】
【０００１】
【発明の属する技術分野】
本発明は現金自動取引装置にかかり、特に、紙幣を還流して入出金取引を行う紙幣取扱装置を搭載した現金自動取引装置に関する。
【０００２】
【従来の技術】
従来、たとえば金融機関などで使用される現金自動取引装置に搭載された紙幣取扱装置として、特許文献１のように、しわのない紙幣や新券といった特定の紙幣を収納するオプション紙幣収納庫を設け、これらの紙幣を指定して出金取引する紙幣取扱装置が示されている。
【０００３】
【特許文献１】
特開２００１−３３１８４３号公報
【０００４】
【発明が解決しようとする課題】
旧札から新札に移行する時期は、新札を使える自動機も少なく、利用者の新札に対するニーズが必ずしも高いとは限らない。前記従来の紙幣取扱装置では、利用者が出金したい特定の紙幣を選択して出金取引しているが、特定の紙幣を収納するための紙幣収納庫が別途必要であった。
【０００５】
本発明は、旧札および新札を還流して入出金取引する現金自動取引装置において、特別な収納庫を設けることなく、利用者が新札の出金、旧札の出金といった紙幣を選択して出金取引を行うことができる現金自動取引装置を提供することである。
【０００６】
【課題を解決するための手段】
本発明は、上記の課題を一部解決するために、利用者が出金の形態を選択できるものとして、収納庫に収納されている紙幣の紙幣情報を紙幣が収納庫に収納および分離される動作と連動して管理する手段と、紙幣情報に基づいて出金の形態を選択する手段を設けることにした。また、紙幣のニーズにあわせて係員が紙幣を補充できるように係員に案内するものとして、利用者が選択した出金形態の選択状況を検出し、操作部に表示する手段を設けた。さらに、複数の紙幣取扱装置間で紙幣情報を共有するものとして、紙幣情報を取引毎にホストコンピュータ（サーバも可。以下同じ。単に上位装置とも言う。）に連絡する手段と、ホストコンピュータから他の紙幣取扱装置の情報を取得し表示する手段を設けた。
【０００７】
【発明の実施の形態】
以下に本発明の実施形態を図１から図１２を用いて説明する。なお、本紙幣取扱装置または紙幣取扱装置を含む自動取引装置を構成するものは、ソフトウェアとハードとを含むものであり、以下に示す各部は手段ともいう。
図１は本発明の実施形態にかかる紙幣取扱装置を示し、図２は紙幣取扱装置の制御ブロックを示す図である。これらの図において、１は利用者（顧客）が投入する紙幣を装置内部に受け入れる（取り入れる、入金する）、または利用者に紙幣を装置内部より払い出す（放出する、出金する）入出金口、２は装置内の各所に紙幣を搬送する搬送路（または搬送ローラやモータを合わせて搬送機構、手段ともいう）、３は紙幣の真偽、正損、金種などを判別する判別部である。また、４は紙幣を一時的に巻き取る一時保管庫、５はリジェクト紙幣を収納するリジェクト庫、６は紙幣を装填、回収するための装填回収庫、７は還流する紙幣を収納するための還流庫、８は紙幣の通過を検知する通過センサ、９は紙幣の搬送方向を切り換えるゲートである。なお、還流庫７は図面に示すように複数存在し、金種毎に紙幣を収納・還流し、還流せずに入金された紙幣を収納する機能のみ、または逆に出金する紙幣を収納する機能のみ、という装置の運用に合わせた機能が係員の指定、またはホスト（又はサーバ。上位装置とも言う。）からの指令に基づき種々選択できる。
【０００８】
１０１は紙幣取扱装置の上位装置、例えば、金融機関に設置される自動取引装置の本体制御部を示しており、紙幣取引装置とは別のユニットであることを図示している。１０２は本体制御部１０１と通信するための回線制御部、１０３は搬送路２を構成する搬送ローラ、搬送ベルトを駆動するモータを制御する搬送路モータ制御部、１０４は搬送路移動量計数部であり、搬送路２の移動量（よって紙幣の移動量）を計数する。
１０５はセンサ制御部であり、紙幣の通過を検出する通過センサ等のセンサを制御する。１０６はゲート制御部であり、通過センサ８の検出信号および搬送路移動量計数部が計数した搬送路２の移動量をもとにゲート７を切り換える。１０７は入出金口の紙幣分離、スタックなどを制御する入出金口制御部、１０８は一時保管庫４の紙幣巻取り、放出などを制御する一時保管庫制御部、１０９は収納庫制御部でリジェクト庫、装填回収庫、還流庫の紙幣収納などを制御する。１１１は種々の情報を記憶部、１１２は紙幣取扱装置の各部位を制御する主制御部である。なお、記憶部１１１は主制御部１１２に含まれるものと考慮してもよく、主制御部１１２（単に制御部とも言う。）はＣＰＵ、メモリ等のハードウェアで、そのハードウェアによってプログラムを実行して後述する各制御、処理、取引が行われる。
【０００９】
図３は図１の紙幣取扱装置を搭載する現金自動取引装置を示す図、図４は現金自動取引装置の制御ブロックを示す図である。現金自動取引装置は、図１，２にて説明した紙幣を入出金する紙幣取扱装置２０１、磁気ストライプカードを取り扱うカード取扱機構２０２、明細票を発行する明細票発行機構２０３、通帳を取り扱う通帳処理機構２０４、利用者が操作を行う操作部２０５、取引内容、プログラム等を記憶する記憶部２０６、これらを制御する本体制御部１０１で構成される。本発明の現金自動取引装置は、ホストコンピュータ２０７と通信回線で接続され、顧客情報や取引情報などを通信する。さらに、現金自動取引装置に関する情報を管理するためのサーバ２０８と通信回線により接続される。
【００１０】
本実施例では、図１に示した紙幣取扱装置において、還流庫７の上段に万円札、下段に千円札を収納する構成とする。また、紙幣取扱装置の記憶部１１１（または上述したように主制御部１１２であってもよい。以下、同じ。）には、図５に示すような新旧情報記憶領域を設ける。新旧情報記憶領域は、収納庫毎に設け、収納庫内に収納することができる紙幣の枚数と同じ数の新旧情報を登録することができる大きさを確保する。なお、図５には還流庫７の上段に位置する万円庫用の紙幣の新旧情報と、還流庫７の下段に位置する千円庫用の紙幣の新旧情報とを記憶する一例を図示している。
【００１１】
新旧情報記憶領域への新旧情報の登録および削除について図６、図７を用いて説明する。
利用者が操作部２０５から入金取引を選択した場合、本体制御部１０１は紙幣取扱装置２０１に入金動作を指示する。紙幣取扱装置２０１は、回線制御部１０２を介して指示を受信する。紙幣取扱装置２０１の主制御部１１２は、利用者が紙幣を投入できるように、入出金口制御部１０７に入出金口１の開閉部（シャッタ）を開けるように指示する。紙幣が投入されたら主制御部１１２は、入出金口制御部１０７に入出金口１の開閉部を閉めるように指示する。続いて、主制御部１１２は、搬送路モータ制御部１０３に搬送路を入金方向に駆動するように指示した後、入出金口制御部１０７に入出金口１から紙幣を１枚ずつ繰り出すよう指示する。紙幣が判別部３を通過すると、判別部３は紙幣の真偽、正損、金種、新旧などを判別し、判別結果を主制御部１１２に報告する。主制御部１１２は、判別結果に基づき、リジェクト紙幣を入出金口１、それ以外の紙幣を一時保管庫に振り分けるようゲート制御部１０６に指示する。入金された紙幣を振り分け終えたら、主制御部１１２は、搬送路モータ制御部１０３に搬送路２を停止するよう指示する。なお、ここまでの処理を入金計数処理という。
【００１２】
次に、入金収納処理について説明する。リジェクト紙幣を利用者に返却した後、一時保管庫４に巻き取られた紙幣を還流庫に収納するため、主制御部１１２は、搬送路モータ制御部１０３に搬送路２を収納方向に駆動するよう指示した後、一時保管庫制御部１０８に一時保管庫４から紙幣を繰り出すよう指示する。主制御部１１２は、搬送路移動量計数部１０４から報告される搬送路２の移動量、およびセンサ制御部１０５から報告されるセンサ情報から紙幣の搬送状況を監視し、ゲート制御部１０６に紙幣を該当する収納先に収納するよう指示する。
【００１３】
以下、説明を簡単にするため、入出金口１から顧客が５万円入金し、判別部３によって５万円であること、正券であることが判別された例で説明する。
図６に示すように一時保管庫４から繰り出された紙幣が、判別部３によって、旧万円札（１枚目）、旧万円札（２枚目）、新万円札（３枚目）、旧万円札（４枚目）、新万円札（５枚目）の順に判別され、判別部３から主制御部１１２に新旧情報が報告される。主制御部１１２は、１枚目の旧万円札が万円庫に収納されたことをセンサ制御部１０５から報告されたら、図７に示すように記憶部１１１の万円庫新旧情報記憶領域（図５参照）の最上部に「旧」を登録する。後続の紙幣についても同様にして万円庫に収納されるたびにすでに登録されている新旧情報を下方にシフトしてから、万円庫新旧情報記憶領域の最上部に当該紙幣の新旧情報を登録する。なお、入出金口１より千円札が投入され、それを一時保管庫４から下段の還流庫７に収納する、つまり千円札も同様にして、千円札が千円庫に収納されるたびに千円庫新旧情報記憶領域に紙幣の新旧情報を登録する。
【００１４】
新旧情報記憶領域への新旧情報の登録は、次の入金取引においても同様にして、紙幣が収納庫に収納されるたびに、この新旧情報記憶領域に続けて紙幣の新旧情報を登録する。一方、係員が紙幣を装填回収庫６から還流庫７に装填する際も同様にして、紙幣が還流庫７に収納されるたびに紙幣の新旧情報を万円庫新旧情報記憶領域、および千円庫新旧情報記憶領域に登録する。以上のように主制御部１１２は、還流庫７に紙幣が収納されるたびに新旧情報を記憶部１１１の新旧情報記憶領域に登録する。
【００１５】
次に新旧情報記憶領域から紙幣の新旧情報を削除する場合について説明する。
利用者が操作部２０５から出金取引を選択した場合、本体制御部２０６は、紙幣取扱装置２０１に出金を指示する。紙幣取扱装置２０１は、回線制御部１０２を介して指示を受信する。紙幣取扱装置２０１の主制御部１１２は、搬送路モータ制御部１０３に搬送路２を出金方向に駆動するよう指示、ゲート制御部１０６にリジェクト券を一時保管庫４に正常券を入出金口１に振り分けるよう指示した後、収納庫制御部１０９に紙幣を分離するよう指示する。主制御部１１２は、紙幣が還流庫７から繰り出されるたびに記憶部１１１の新旧情報記憶領域に登録されている新旧情報を削除する。新旧情報の削除は、図７（下方）に示すように新旧情報記憶領域の最上部に登録されている情報から削除し、残りの情報を全て上方にシフトする。この処理を紙幣が繰り出されるたびに行う。紙幣が入出金口１に搬出されたら、入出金口１に搬出された紙幣を利用者に取り出してもらうように、入出金口制御部１０７に入出金口１の開閉部を開けるように指示する。紙幣が取り出されたら、主制御部１１２は入出金口１の開閉部を閉めるよう入出金口制御部１０７に指示する。図７の下方には上記取引の次の取引で旧万円札が還流庫７に収納され、その次の取引で万円札が３枚分、還流庫７から取り出された様子を図示する。
【００１６】
一方、係員が紙幣を還流庫７から装填回収庫６に回収する場合も同様にして、紙幣が還流庫７から繰り出されるたびに紙幣の新旧情報を万円庫新旧情報記憶領域、および千円庫新旧情報記憶領域から削除する。さらに、主制御部１１２は、センサ制御部１０５から還流庫７の空を報告された場合、新旧情報記憶領域に登録されている情報があれば全て削除する。このように主制御部１１２は、還流庫７から紙幣が繰り出されるたびに新旧情報を記憶部１１１の新旧情報記憶領域から削除する。
【００１７】
以上のようにして紙幣が還流庫７に収納されるたびに当該紙幣の新旧情報を登録し、還流庫７から繰り出されるたびに新旧情報を削除することにより、還流庫７内に収納されている紙幣の順番と新旧情報記憶領域内に登録されている新旧情報の順番を一致させる。つまり、判別部３によって紙幣の金種、枚数、新旧情報が判別されたのを基に、収納庫（還流庫７）に紙幣が収納される情報として主制御部１１２が管理することを一特徴とする。
【００１８】
次に新旧情報記憶領域に登録した新旧情報を用いた出金取引について説明する。
【００１９】
利用者が操作部２０５から出金取引を選択した場合、本体制御部１０１は、図８に示すような出金額入力画面を表示する。利用者が新札・旧札を選択して出金できるようにするための選択ボタンを画面に配置したことを一特徴とする。利用者によって、引き出し額が入力（例えば５万円）されたら、本体制御部２０６は、紙幣取扱装置２０１に出金する紙幣の枚数を指示する。紙幣取扱装置２０１は、回線制御部１０２を介して指示を受信する。紙幣取扱装置２０１の主制御部１１２は、新札のみで出金することが可能か、また旧札のみで出金することが可能かを判定するため図９のフロー図に示すようなチェックを行う。説明は省略するが、旧札又は新札の出金枚数が記憶部に記憶されている旧札又は新札の枚数、即ち、収納庫に収納されている枚数を超えるか否かも判断される。
【００２０】
ステップ５０１において主制御部１１２は、本体制御部１０１から指定された出金指示枚数（例、万円５枚）を取得する。ステップ５０２において、主制御部１１２は、新旧情報記憶領域の最上部に登録されている新旧情報を取得する。ステップ５０３において主制御部１１２は、「新」が登録されているのか「旧」が登録されているのか判定する。「新」が登録されている場合、ステップ５０４において「新」数を加算する。「旧」が登録されている場合、ステップ５０７において「旧」数を加算する。「新」数、および「旧」数が指示枚数に到達するまで、新旧情報記憶領域の参照位置を下方にシフトしながら、「新」数、「旧」数の計数を繰り返す。ここで「新」数は、還流庫７に収納されている紙幣から「旧札のみ」を出金した場合に一時スタッカ４にリジェクトしなければならない新札の数を表し、「旧」数は「新札のみ」を出金した場合に一時スタッカ４にリジェクトしなければならない旧札の数を表す。このように、一時保管庫４には収納する紙幣の許容数（２００枚程度）が決められているため、ステップ５０５、ステップ５０８において、「新」数、「旧」数がリジェクト許容数を超えたかどうか判定する。「新」数がリジェクト許容数を越えた場合、「旧札のみ」で指定された枚数を出金することができないので、ステップ５０６において「旧札のみ」の出金は不可とする。「旧」数がリジェクト許容数を超えた場合、「新札のみ」で指定された枚数を出金することができないので、ステップ５０９において「新札のみ」の出金は不可とする。
【００２１】
主制御部１１２は、回線制御部１０２を介して判定結果を本体制御部１０１に報告する。本体制御部１０１は、紙幣取扱装置２０１からの報告に基づき、図１０に示すような画面を操作部２０５に表示する。「旧札のみ」の出金が不可と報告された場合、利用者が「旧札のみ」を選択できないように縮退する。「新札のみ」の出金が不可と報告された場合、利用者が「新札のみ」を選択できないように縮退する。縮退とは通常表示される図１０の対象となるボタンを削除して他を表示するのが望ましい。また、図８の選択時、１００万円が入力され、記憶部に旧札が８０枚しかないときは図１０の「旧札のみ」キーを削除し、「新札のみ」キーを表示するのが望ましい（同様に新札が少ない場合も旧札のみキーを表示）。また、図１０は図８の次に表示する一例であるが、紙幣取扱装置２０１は各還流庫７に収納されている新旧の紙幣情報や、一時保管庫４に収納できる紙幣情報などを管理できるので、図１０に示すように旧札の出金可能な候補、新札の出金可能な候補のボタンをそれぞれ設け、それを押下することで利用者に出金可能な新旧の紙幣の枚数を表示させても良いし、後述するように図１４に示す出金可能ＡＴＭを表示しても良い。また、図１０の「旧札のみ」「新札のみ」「どちらでもよい」などのキーを図８と統合して表示し、最初の操作から利用者に選択させる例であっても良い。
【００２２】
利用者によって例えば「旧札のみ」キーが選択された場合、本体制御部１０１は、紙幣取扱装置２０１に旧札のみの出金動作を指示する。主制御部１１２は、「旧札のみ」で出金するのに必要な紙幣の枚数を図１１のようにして算出する。図１１は図９のステップ５１０，５１２の詳細を示す。
ステップ７０１において主制御部１１２は、新旧情報記憶領域の最上部の新旧情報を参照する。新旧情報が「旧」であれば、ステップ７０３において「旧」数を加算する。ステップ７０４において出金枚数を加算する。ステップ７０５において「旧」数が指定枚数に到達したかどうか判定する。到達しない場合は、新旧情報記憶領域の参照位置を下方にシフトして、「旧」数が指定枚数に到達するまで繰り返す。「新札のみ」での出金が指示された場合は「新」数を加算し、「新」数で判定すればよい。図１２のように万円庫の新旧情報記憶領域に新旧情報が登録されていた場合、旧万円札を５枚出金するのに万円庫から８枚分離することになる。なぜなら８枚の万円札は旧万円札が５枚、新札が３枚で記憶、収納されているためである。
【００２３】
主制御部１１２は、搬送路モータ制御部１０３に搬送路２を出金方向に駆動するよう指示、ゲート制御部１０６に新札を一時保管庫４に、旧札を入出金口１に振り分けるよう指示する。顧客が旧札のみの選択をしたためである。その後、収納庫制御部１０９に算出した分離枚数とともに紙幣を分離するよう指示する。主制御部１１２は、図１２に示すように紙幣が還流庫７から繰り出されるたびに登録していた新旧情報を記憶部１１１から削除する（出金途中、ステップ５１２，７０６参照）。
【００２４】
図１３のように一時保管庫４に新万円札を３枚、旧万円札を５枚入出金口１に搬出した後、一時保管庫４に収納した新万円札を再び万円庫に戻す。このとき入金取引の場合と同様に主制御部１１２は、紙幣が還流庫７に収納される毎に紙幣情報を登録する（図１２の「出金後」参照）。一時保管庫４の紙幣を還流庫７に戻した後、入出金口１の紙幣を利用者に取り出してもらうように、入出金口制御部１０７に入出金口１の開閉部を開けるように指示する。紙幣が取り出されたら、主制御部１１２は入出金口１の開閉部を閉めるよう入出金口制御部１０７に指示する。このように、収納庫別に紙幣単位で記憶する新札及び旧札の情報を、一時保管庫から収納庫に収納するときに判別部によって得られる結果に基づいて記憶することも特徴である。
以上のように新旧情報記憶領域に登録した還流庫に収納されている紙幣の新旧情報を用いれば、わざわざ新札または旧札特有の収納庫を装置に用意せずとも、利用者が新札、旧札を選択して出金することができる。
【００２５】
続いて、上述の例を応用した他の実施例（自動取引システム）を説明する。
記憶部１１１の新旧情報記憶領域内に記憶された新旧情報を複数の紙幣取扱装置間で共有するため、紙幣取扱装置２０１は、当該装置の新旧情報を入金、出金などの動作が終了するたびに、本体制御部１０１を経由してサーバ（又はホストも含んで上位装置とも言う。）２０８に報告する。サーバ２０８は、他に現金自動取引装置の設置場所などの情報を管理する。
【００２６】
紙幣取扱装置２０１の紙幣収納状況によっては、利用者が図１０の出金選択画面で「旧札のみ」、あるいは「新札のみ」を選択できない場合がある。この場合、本体制御部１０１は、操作部２０５の「旧札出金可能ＡＴＭ候補」、あるいは「新札出金可能ＡＴＭ候補」選択キーを設けて表示し、利用者が選択できるように有効にする。利用者によって操作部２０５の「旧札出金可能ＡＴＭ候補」キーが選択されたら、本体制御部１０１は、旧札を出金できる現金自動取引装置が最寄りの場所にないかサーバ２０８に問い合わせ、候補リストをサーバ２０８からダウンロードし、図１４に示すような候補リストを操作部２０５に表示する。
以上のようにすれば、利用者がどうしても旧札を入手したいときには、他の現金自動取引装置の紙幣収納状況を利用者に提供することができる。
【００２７】
なお、図１０の出金選択画面において、利用者によってキーが選択されたら、操作部２０５は、選択されたキーを本体制御部１０１に報告するが、その際、本体制御部１０１は、各キー、特に旧札又は新札キーの選択回数を計数し記憶部２０６に登録することが望ましい。そして係員モードのときに記憶されたキー選択回数の情報を操作部に表示すれば、係員は新札、旧札どちらのニーズが高いのかをキーの選択回数で確認することができるので、紙幣を補充する際の目安とすることができる。尚、操作部（表示手段ともいう）に表示される内容を紙媒体に印字する印字手段で出力する（合わせて出力手段（部）ともいう）例であっても良い。
【００２８】
以上のように、紙幣を還流庫に収納する動作および繰り出す動作に連動して、登録・削除される紙幣の新旧情報を還流庫毎に作成することで、旧札から新札に移行する期間の出金取引において利用者の選択の幅を広げることができ、さらには利用者の紙幣に対するニーズに合わせて係員が紙幣を補充することができるので、利用者に対するサービスを向上させることができる。
【００２９】
【発明の効果】
本発明によれば、旧札から新札に移行する期間において、出金取引における利用者の選択の幅を広げ、さらに利用者の紙幣に対するニーズに合わせた運用ができる。
【００３０】
【図面の簡単な説明】
【図１】本発明の実施形態にかかる紙幣取扱装置の概略を示す図である。
【図２】紙幣取扱装置の制御ブロックを示す図である。
【図３】現金自動取引装置の概観を示す図である。
【図４】現金自動取引装置の制御ブロックを示す図である。
【図５】新旧情報記憶領域を示す図である。
【図６】紙幣の収納動作を示す図である。
【図７】新旧情報記憶領域の登録と削除を示す図である。
【図８】出金取引画面を示す図である。
【図９】出金選択可否をチェックするフロー図である。
【図１０】出金形態の選択画面を示す図である。
【図１１】出金枚数を計数するフロー図である。
【図１２】紙幣出金時の紙幣情報記憶領域を示す図である。
【図１３】紙幣の出金動作を示す図である。
【図１４】利用者が希望する形態で出金可能な装置候補を示す図である。
【符号の説明】
１：入出金口、２：搬送路、３：判別部、４：一時保管庫、５：リジェクト庫、６：装填回収庫、７：還流庫、８：通過センサ、９：ゲート、１０１：本体制御部、１０２：上位回線制御部、１０３：搬送路モータ制御部、１０４：搬送路移動量計数部、１０５：センサ制御部、１０６：ゲート制御部、１０７：入出金口制御部、１０８：一時保管庫制御部、１０９：収納庫制御部、１１０：判別部、１１１：記憶部、１１２：主制御部、２０１：紙幣取扱装置、２０２：カード取扱機構、２０３：明細票発行機構、２０４：通帳処理機構、２０５：操作部、２０６：記憶部、２０７：ホストコンピュータ、２０８：サーバー
【図１】
2004355062.tif 000003
【図２】
2004355062.tif 000004
【図３】
2004355062.tif 000005
【図４】
2004355062.tif 000006
【図５】
2004355062.tif 000007
【図６】
2004355062.tif 000008
【図７】
2004355062.tif 000009
【図８】
2004355062.tif 000010
【図９】
2004355062.tif 000011
【図１０】
2004355062.tif 000012
【図１１】
2004355062.tif 000013
【図１２】
2004355062.tif 000014
【図１３】
2004355062.tif 000015
【図１４】
2004355062.tif 000016